(57)【特許請求の範囲】
【請求項１】
パックを互いに異なるピッチで搬送している２つのパック搬送コンベア間に包装用パックを移送させるためのパック搬送同調方法であって、前記異なるピッチのパック搬送コンベア間にピッチの大きい方のパック搬送コンベアと同じピッチで搬送バーが取り付けられた同調搬送コンベアを配置し、小さいピッチの方の搬送コンベア側で前記同調搬送コンベアの駆動チェーンを搬送方向に離れた２点で受け、同受けの間で前記駆動チェーンを押して前記搬送バーの搬送ピッチを縮めて前記小さいピッチの方の搬送コンベアと前記ピッチの大きい方のパック搬送コンベアとの間でパックを送ることを特徴とするパック搬送同調方法。
【請求項２】
パックを互いに異なるピッチで搬送している２つのパック搬送コンベア間に包装用パックを移送させるためのパック搬送同調装置であって、前記異なるピッチのパック搬送コンベア間に配置されピッチの大きい方のパック搬送コンベアと同じピッチで搬送バーが取り付けられた同調搬送コンベアと、小さいピッチの方の搬送コンベア側で前記同調搬送コンベアの駆動チェーンを搬送方向に離れた２点で受ける受けスプロケットと、同受けスプロケットの間で前記駆動チェーンを押して前記搬送バーの搬送ピッチを縮める押しスプロケットとを有することを特徴とするパック搬送同調装置。
【発明の詳細な説明】
【０００１】
【発明の属する技術分野】
本発明は、パックに品物を入れて包装するためのパック包装装置などにおいて、パックを互いに異なるピッチで搬送している２つのパック搬送コンベア間に包装用パックを搬送させるためのパック搬送同調方法及び装置に関する。
【０００２】
【従来の技術】
包装品をパックに入れシートで密閉してパック包装された商品とすることが広く行われている。
このようなパック詰め商品をつくる場合などにおいて、空パックを密に搬送している空パック搬送工程から所定間隔を保ってパックを搬送する充填工程への移し替えのように、パックを異なるピッチで搬送する２つの搬送コンベア間で移し換えて搬送させる必要が生ずることがある。
【０００３】
このような場合に、その異なるピッチの搬送コンベア間に何らかの搬送同調装置がないと受け渡されるパックの搬送は不安定となり、その後のパック搬送に支障を来たすことがあった。
【０００４】
【発明が解決しようとする課題】
本発明は、パックを互いに異なるピッチで搬送している２つのパック搬送コンベア間に包装用パックを円滑に移し替えて移送させることのできるパック搬送同調方法及び装置を提供することを課題にしている。
【０００５】
【課題を解決するための手段】
本発明は、パックを互いに異なるピッチで搬送している２つのパック搬送コンベア間に包装用パックを円滑に移し替えて移送させるためのパック搬送同調方法及び装置を提供するという前記課題を解決するため、次の方法、及び次の構造のパック搬送同調装置を提供する。
【０００６】
即ち、前記課題を解決する本発明の方法として、前記異なるピッチのパック搬送コンベア間にピッチの大きい方のパック搬送コンベアと同じピッチで搬送バーが取り付けられた同調搬送コンベアを配置し、小さいピッチの方の搬送コンベア側で前記同調搬送コンベアの駆動チェーンを搬送方向に離れた２点で受け、同受けの間で前記駆動チェーンを押して前記搬送バーの搬送ピッチを縮めて前記小さいピッチの方の搬送コンベアと前記ピッチの大きい方のパック搬送コンベアとの間でパックを送るパック搬送同調方法を提供する。
【０００７】
このパック搬送同調方法によれば、ピッチの大きい方のパック搬送コンベアと同じピッチで搬送バーが取り付けられた同調搬送コンベアの駆動チェーンを、小さいピッチの方の搬送コンベア側で前記同調搬送コンベア搬送方向に離れた２点で受け、その受けの間で前記駆動チェーンを押して前記搬送バーの搬送ピッチを縮めて小さいピッチの方の搬送コンベアと前記ピッチの大きい方のパック搬送コンベアとの間でパックを送ることができる。
【０００８】
次に、前記課題を解決する本発明の装置として、前記した異なるピッチのパック搬送コンベア間に配置されピッチの大きい方のパック搬送コンベアと同じピッチで搬送バーが取り付けられた同調搬送コンベアと、小さいピッチの方の搬送コンベア側で前記同調搬送コンベアの駆動チェーンを搬送方向に離れた２点で受ける受けスプロケットと、同受けスプロケットの間で前記駆動チェーンを押して前記搬送バーの搬送ピッチを縮める押しスプロケットとを有するパック搬送同調装置を提供する。
【０００９】
本発明によるパック搬送同調装置は、前記したように、ピッチの大きい方のパック搬送コンベアと同じピッチで搬送バーが取り付けられた同調搬送コンベアを設け、これを小さいピッチの方の搬送コンベア側で前記同調搬送コンベアの駆動チェーンを搬送方向に離れた２点で受けスプロケットによって受ける。
そして同受けスプロケットの間で押しスプロケットによって前記駆動チェーンを押して前記搬送バーの搬送ピッチを縮める。
【００１０】
以上のようにして、本発明によるパック搬送同調装置では、ピッチの大きい方のパック搬送コンベアと同じピッチの搬送バーを持つ同調搬送コンベアの搬送バーの間隔は、小さいピッチの方の搬送コンベア側で受けスプロケットと押しスプロケットによって湾曲部分を形成されて搬送バーのピッチが小さいピッチの方の搬送コンベアのピッチに縮められる。
【００１１】
本発明によるパック搬送同調装置では、前記したように小さいピッチの方の搬送コンベア側でパック搬送同調装置の搬送バーのピッチが小さいピッチの方の搬送コンベアのピッチに縮められ、受けスプロケットと押しスプロケット配置部分を通り過ぎるとピッチは元に戻される。
【００１２】
以上のようにして本発明のパック搬送同調装置は、小さいピッチの搬送コンベアと大きいピッチのパック搬送コンベアの間にあって小さいピッチから大きいピッチへと搬送バーのピッチを変化しており、そのピッチの異なる搬送コンベア間にパックを円滑に橋渡しすることができる。
【００１３】
しかも本発明のパック搬送同調装置においては、２つの受けスプロケットの間で駆動チェーンを押す押しスプロケットの押し下げ量を調節することによって、搬送ピッチの縮め量を所定の値に容易に、かつ、無段階に微細調節することができる。
従って、本発明によれば、パックを互いに異なるピッチで搬送している２つのパック搬送コンベア間に包装用パックを円滑に移し替えて移送させることができる。
【００１４】
【発明の実施の形態】
以下、本発明によるをパック包装装置を図１、図２及び図３に示した一実施形態により詳細に説明する。図１及び図２において、１は空パック搬送コンベアで、ローラ２、３のまわりに架け渡されたエンドレスベルト４からなる。
５はガイドレールで、搬送される空パックＰの縁を案内する。こうして空パック搬送コンベア１は、前後するパックＰの縁と縁とを密着させた状態で空パックＰを搬送する。
【００１５】
このようにガイドレール５に沿って案内される空パックＰは、底を空パック搬送コンベア１のエンドレスベルト４に乗せられピッチＬ１で図の右方向に搬送される。
一方、図の右端には、ローラ６のまわりを廻って送られているエンドレスチェーンをもつ第二のパック搬送コンベア７があり、その第二のパック搬送コンベア７にはパックを受け入れて搬送する搬送枠８がピッチＬ２で固定されている。
【００１６】
先に説明した空パック搬送コンベア１によって図の右方向に送られたパックＰは第二のパック搬送コンベア７に渡されるようにしてある。
ところで、空パック搬送コンベア１はピッチＬ１をもつのに対して、第二のパック搬送コンベア７はピッチＬ２を有している。
【００１７】
空パック搬送コンベア１と第二のパック搬送コンベア７との間には、パック搬送同調装置１０が配設されている。そのパック搬送同調装置１０は、搬送路の両側にスプロケット９−１，９−２，９−３，それに後記する受けスプロケット１３の廻りに架け渡された駆動チェーン１１を有しその駆動チェーン１１の間には、パックＰを送るための搬送バー１２が所定ピッチで取り付けられている。
【００１８】
パック搬送同調装置１０には、空パック搬送コンベア１側で駆動チェーン１１を下側で受ける２つの受けスプロケット１３が配置されており、また、その２つの受けスプロケット１３の間には上方に押しスプロケット１４が配置されている。各スプロケット１３、１４は長穴をもつ取り付けブラケット１５によってその上下位置が調節可能にフレームに取り付けられている。
【００１９】
パック搬送同調装置１０の駆動チェーン１１は、２つの受けスプロケット１３の間で押しスプロケット１４により押し下げられることにより、駆動チェーン１１に取り付けられたパックＰを送るための搬送バー１２の水平面内での間隔は狭められる。こうして搬送バー１２の間隔が縮められたパック搬送同調装置１０におけるパックＰに対する送りピッチは空パック搬送コンベア１におけるパックの搬送ピッチと等しくされる。
【００２０】
パック搬送同調装置１０は、２つの受けスプロケット１３と押しスプロケット１４によるピッチの調節部を通り過ぎると元のピッチに戻る。その元のパックの送りピッチは、第二のパック搬送コンベア７における送りパックのピッチと等しくされている。パック搬送同調装置１０におけるこの搬送ピッチ調節作用を図３に拡大して示してある。図３に示されているように、パック搬送同調装置１０における駆動チェーン１１に取り付けられた搬送バー１２のピッチは、Ｌ１→Ｌ１’→Ｌ２’→Ｌ２と変わる。
【００２１】
こうして、パック搬送同調装置１０は、空パック搬送コンベア１と第二のパック搬送コンベア７との間で、その搬送ピッチを空パック搬送コンベア１の送りピッチＬ１から第二のパック搬送コンベア７の送りピッチＬ２へと変化する。
従って、パック搬送同調装置１０は、ピッチＬ２の空パック搬送コンベア１と、送りピッチＬ２の第二のパック搬送コンベア７との間にパックＰを円滑に橋渡して送ることができる。
【００２２】
以上、本発明を図示した実施の一形態に基づいて説明したが、本発明がこの実施形態に限定されないことはいうまでもない。例えば、図示した実施形態ではパックをピッチの小さい搬送コンベアからピッチの大きい第二のパック搬送コンベアへパックを搬送する場合しているが、この逆の場合にも本発明のパック搬送同調装置を同じように用いてよい。
【００２３】
また、図示した実施形態では受けスプロケット１３は下、押しスプロケット１４は上に配置されているが、この取り付けはこれと上下逆にして受けスプロケット１３は上、押しスプロケット１４は下に配置としてもよい。
【００２４】
【発明の効果】
以上のように、本発明のパック搬送同調方法によれば、搬送ピッチの異なるパック搬送コンベア間に、大きい方のパック搬送コンベアと同じピッチで搬送バーが取り付けられた同調搬送コンベアを配置し、小さいピッチの方の搬送コンベア側で、その同調搬送コンベアの駆動チェーンを搬送方向に離れた２点で受けスプロケットで受けさせ、その受けスプロケットの間で前記駆動チェーンを押して搬送バーのピッチを小さいピッチの方の搬送コンベアのピッチに縮めて小さいピッチとした搬送コンベアと元の大きいピッチの搬送コンベアとの間でパックを送ることにより、ピッチの異なるパック搬送コンベア間にパックを円滑に橋渡して送ることができる。
【００２５】
また、本発明のパック搬送同調装置によれば、搬送ピッチの異なるパック搬送コンベア間に、小さいピッチの方の搬送コンベア側で搬送バーのピッチが小さいピッチの方の搬送コンベアのピッチに縮められ、受けスプロケットと押しスプロケットの部分を通り過ぎるとピッチは元に戻されるようにした構成を採用することにより、ピッチの異なるパック搬送コンベア間にパックを円滑に橋渡して送ることができる。
【図面の簡単な説明】
【図１】本発明の一実施形態によるパック搬送同調装置の要部を示す側面図。
【図２】図１に示したパック搬送同調装置の構造を示す斜視図。
【図３】図１に示したパック搬送同調装置における搬送バーのピッチ変更作用を示す説明図。
【符号の説明】
１    空パック搬送コンベア
２    ローラ
３    ローラ
４    エンドレスベルト
５    ガイドレール
６    ローラ
７    第二のパック搬送コンベア
８    搬送枠
９−１  スプロケット
９−２  スプロケット
９−３  スプロケット
１０    パック搬送同調装置
１１    駆動チェーン
１２    搬送バー
１３    受けスプロケット
１４    押しスプロケット
１５    取り付けブラケット
【図１】
0003619004.tif 000002
【図２】
0003619004.tif 000003
【図３】
0003619004.tif 000004